(57)【要約】【課題】粉体の付着が堆積に到らないようにするとともに、目詰まりを防止して磁選効率を向上させことが可能な磁性物除去装置を提供。【解決手段】上下方向に移動する粉体の移動経路４となる筒状のケーシング１の内部に、粉体に含まれる磁性物を磁気力によって吸着除去する複数本の棒状磁石５の両端部が水平に平行に支持部材に支持されている磁性物除去装置において、棒状磁石５が回転可能に支持部材７に支持されている。棒状磁石の両端部に設けられたそれぞれの歯車９がモータＭにより回転可能に連結されている。棒状磁石の両端部に設けられたそれぞれ歯車が同一方向に回転、あるいは隣あう歯車が反対方向に回転、あるいは歯車が間欠的に一定時間逆転可能に制御される。【選択図】図２
2016097338.tif 000002
【特許請求の範囲】
【請求項１】
上下方向に移動する粉体の移動経路となる筒状のケーシングの内部に、前記粉体に含まれる磁性物を磁気力によって吸着除去する複数本の棒状磁石の両端部が水平に平行に支持部材に支持されている磁性物除去装置において、
前記棒状磁石が回転可能に支持部材に支持されていることを特徴とする磁性物除去装置。
【請求項２】
前記複数本の棒状磁石が、同一方向に回転、隣あう歯車が反対方向に回転、あるいは間欠的に一定時間逆転可能に制御されていることを特徴とする請求項１に記載の磁性物除去装置。
【請求項３】
前記複数本の棒状磁石の両端部に設けられたそれぞれの歯車がモータにより回転可能に連結されていることを特徴とする請求項1又は２に記載の磁性物除去装置。
【請求項４】
前記複数本の棒状磁石の両端部に設けられたそれぞれ歯車が同一方向に回転、あるいは隣あう歯車が反対方向に回転するように連結されていることを特徴とする請求項１〜３のいずれかに記載の磁性物除去装置。
【請求項５】
前記複数本の棒状磁石の両端部に設けられたそれぞれ歯車が間欠的に一定時間逆転可能に制御されることを特徴とする請求項１〜４のいずれかに記載の磁性物除去装置。
【発明の詳細な説明】
【技術分野】
【０００１】
本発明は、粉体中から磁性体を異物として除去するために格子状に配置されている棒状の永久磁石の上に、粉体が堆積するのを防止可能な磁性物除去装置に関する。
【背景技術】
【０００２】
食品、化学、医薬等の分野において、粉体中から磁性異物を棒状の永久磁石に磁着させて除去する永久磁石式の磁性物除去装置が使用されている（特許文献1参照）。
【０００３】
前記特許文献1に記載された磁性物除去装置は、図５に示すように、箱型の外側容器５１の内部には、樹脂製の内側容器５２が収納され、その上部及び下部には、上部開口５３及び下部開口５４が形成され、内側容器５２の上部開口５３より各種粉体を取り入れるとともに、この取り入れた各種粉体等を内側容器５２の下部開口５４より落下させるようにしている。
【０００４】
内側容器５２内には、樹脂製のスペーサー５５を介して吸着部５６が多段に亘って積み重ねられて収納されている。吸着部５６には、複数本の棒磁石５７の両端部が、一定間隔をおいて一対の固定板５８の間にそれぞれ固定されている。
【０００５】
なお、４本の棒磁石５７を備えた吸着部５６Ａと３本の棒磁石５７を備えた吸着部５６Ｂを用いて、これを交互に積み重ねる構造としている。そして、それぞれの吸着部５６に備えた棒磁石５７は、吸着部５６Ａと吸着部５６Ｂを積み重ねた場合にいわゆる千鳥配列になるようにされており、これにより、吸着部５６Ａと吸着部５６Ｂを積み重ねた場合に、平面視野において棒磁石５７の間に隙間が生じないようにしている。
【０００６】
このように構成される磁性物除去装置において、内側容器５２に形成した上部開口５３より各種粉体等を取り入れるとともに、この取り入れた各種粉体を、内側容器５２の下部開口５４より落下させる。そうすると、各種粉体等に磁性異物が混入している場合には、この磁性異物は内側容器５２内に備えた棒磁石５７に吸着され、これにより各種粉体等に混入している磁性異物を吸着除去することができる。
【０００７】
棒磁石は、円柱形状であり、その両端面は水平方向を向くように配置させる。そして複数本が水平方向に一定間隔で、また垂直方向にも一定間隔で配置されており、粉体が上方より投入されるので、図６に示すように、粉体５９は少なからず棒磁石５７の曲面上に堆積する。少量の堆積は、異物除去において支障がないが、堆積量が多くなると吸着面が被われるので、磁選効率が低下したり、水平方向の棒磁石間の隙間を粉体が塞ぎ、目詰まりを発生させたりする。
【０００８】
以上のとおり、棒磁石を水平配置すると棒磁石の表面上部に粉体が堆積すると異物に作用する磁力が減少して異物を除去する選別機能が低下して磁選効率が低下するので、棒磁石を水平面から傾斜して斜めに設置して粉体を分散させることにより堆積現象を生じさせないようにする除鉄装置が提案されている（特許文献２参照）。
【０００９】
そのほか、堆積を防止する方法として、棒磁石表面を研磨する方法、ケーシングに振動装置や衝撃装置を取り付ける方法があった。
【先行技術文献】
【特許文献】
【００１０】
【特許文献１】実用新案登録第３０７５６２０号公報
【特許文献２】特開２００６−６１８３４号公報
【発明の概要】
【発明が解決しようとする課題】
【００１１】
引用文献２の傾斜配一では角度を大きくしすぎると磁選効率が低下するため、傾け方に限界がある。また、棒磁石表面の研磨では、適用できる粉体粒度が狭く、使用後は表面粗さが変化し、付着防止効果が薄れてくる。さらに、振動装置や衝撃装置は、付着防止効果はあるものの、過度な力を加えなければならず内部の金属接触を発生させ新たな金属異物を発生させかねない。
【００１２】
そこで、本発明は、粉体の付着が堆積に到らないようにするとともに、目詰まりを防止して磁選効率を向上させことが可能な磁性物除去装置を提供するものである。
【課題を解決するための手段】
【００１３】
本願請求項１の発明は、上下方向に移動する粉体の移動経路となる筒状のケーシングの内部に、前記粉体に含まれる磁性物を磁気力によって吸着除去する複数本の棒状磁石の両端部が水平に平行に支持部材に支持されている磁性物除去装置において、前記棒状磁石が回転可能に支持部材に支持されていることを特徴とする磁性物除去装置である。
【００１４】
本願請求項２の発明は、前記複数本の棒状磁石が、同一方向に回転、隣あう歯車が反対方向に回転、あるいは間欠的に一定時間逆転可能に制御されていることを特徴とする請求項１に記載の磁性物除去装置である。
【００１５】
本願請求項３の発明は、前記複数本の棒状磁石の両端部に設けられたそれぞれの歯車がモータにより回転可能に連結されていることを特徴とする請求項1又は２に記載の磁性物除去装置である。
【００１６】
本願請求項４の発明は、前記複数本の棒状磁石の両端部に設けられたそれぞれ歯車が同一方向に回転、あるいは隣あう歯車が反対方向に回転するように連結されていることを特徴とする請求項１〜３のいずれかに記載の磁性物除去装置である。
【００１７】
本願請求項５の発明は、前記前記複数本の棒状磁石の両端部に設けられたそれぞれ歯車が間欠的に一定時間逆転可能に制御されることを特徴とする請求項１〜４のいずれかに記載の磁性物除去装置である。
【発明の効果】
【００１８】
本発明は、棒状磁石を回転可能に設けたことにより、棒状磁石の表面上の粉体が落下し、粉体の堆積量が減少し磁性異物の回収率が向上し、また目詰まりの発生がなくなり処理速度の低下が防止できた。
【図面の簡単な説明】
【００１９】
【図１】本発明の磁性物除去装置の平面図である。
【図２】本発明の磁性物除去装置の内部の棒状磁石の配置を示す図である。
【図３】本発明の棒状磁石の一方の端部の歯車の連結状態を示す図である。
【図４】本発明の棒状磁石の他方の端部の支持状態を示す図である。
【図５】（ａ）は磁性物除去装置の概略を示す断面図、（ｂ）は装置内の磁石の配置を示す分解図である。
【図６】棒状磁石に粉体が堆積した状態の説明図である。
【発明を実施するための形態】
【００２０】
本発明の磁性物除去装置について図面を参照しながら説明する。
【実施例】
【００２１】
図1〜4において、筒状のケーシング１は、上端に上部開口２及び下端に下部開口３が形成されている。筒状のケーシング１の内部には、上部開口２より粉体が供給され、下部開口３より磁性物が除去された粉体が排出される粉体の移動経路４となる。
【００２２】
筒状のケーシング１内には、複数本の棒状磁石５が水平に間隔をおいて平行に配置されている。棒状磁石５の端部６は固定板７に設けられている軸受８に回転自在に支持されている。さらに、棒状磁石５が数段に設けられる。図では２段であるが、３段あるいはそれ以上の段数であってもよい。なお、図２では、３本の棒状磁石５を備えた1段目と４本の棒状磁石５を備えた２段目が交互に千鳥配列になるように配置されている。
【００２３】
それぞれの棒状磁石５の一方の端部６には、歯車９が固定されている。棒状磁石５の歯車９はモータＭの駆動歯車１０に連結用の中間歯車１１を介して連結されている。
【００２４】
歯車５の回転方向は、図２では、隣あう歯車９が反対方向に回転するように連結されているが、例えば歯車９間に中間歯車を介在させるなどして同じ方向に回転させてもよい。棒状磁石５の回転数は、例えば、５０〜２００ｒｐｍの範囲とする。
【００２５】
また、制御装置によりモ−ターＭの回転方向を制御して間欠的に一定時間逆回転させてもよく、例えば、５秒毎に逆転させる。回転方向を逆転させることにより、棒状磁石５の表面に付着した粉体を振り落とすことができる。
【００２６】
以上のように構成された磁性物除去装置において、上部開口２より供給された粉体がケーシング1内の移動経路４を通過する際に、棒状磁石５の表面に達した粉体は、棒状磁石５の回転により落下するので、棒状磁石５への粉体の堆積を防止することができる。
【符号の説明】
【００２７】
１：ケーシング
２：上部開口
３：下部開口
４：移動経路
５：棒状磁石
６：棒状磁石の端部
７：固定板
８：軸受
９：歯車
１０：駆動歯車
１１：中間歯車
５１：外側容器
５２：内側容器
５３：上部開口
５４：下部開口
５５：スペーサー
５６：吸着部
５７：棒磁石
５８：固定板
５９：粉体
【図１】
2016097338.tif 000003
【図２】
2016097338.tif 000004
【図３】
2016097338.tif 000005
【図４】
2016097338.tif 000006
【図５】
2016097338.tif 000007
【図６】
2016097338.tif 000008